(57)【要約】      （修正有）【課題】メタル屋外線及び／又は光引込線を、被固定面に対し横断面垂直または横断面平行の２種の形態で固定することができる縦横設置共用配線クリートを提供する。【解決手段】配線保持部材１の内側面及び押え蓋部２の内側面に、光引込線用の横保持凹部１１が光引込線４０を被固定面に対し横断面平行に保持するように形成される。配線保持部材１の内側面及び押え蓋部２の内側面に、光引込線用の縦保持凹部１２が光引込線４０を被固定面に対し横断面垂直に保持するように形成される。配線保持部材１の内側面及び押え蓋部２の内側面に、メタル屋外線用の横保持凹部１３がメタル屋外線４１を被固定面に対し横断面平行に保持するように形成される。配線保持部材１の内側面及び押え蓋部２の内側面に、メタル屋外線用の縦保持凹部１がメタル屋外線４２を被固定面に対し横断面垂直に保持するように形成される。【選択図】図１２
0003147236.tif 000002
【実用新案登録請求の範囲】
【請求項１】
配線保持部材と、該配線保持部材に対しヒンジ部を介して開閉可能に一体成形された押え蓋部と、を備え、該配線保持部材と該押え蓋部の略中央に貫通して固定用の挿入孔が設けられ、該挿入孔に固定ねじ又は釘を挿入して若しくは両面粘着テープを用いて被固定面に固定する縦横設置共用配線クリートにおいて、
該配線保持部材の内側面及び該押え蓋部の内側面に、光引込線用の横保持凹部が該光引込線を該被固定面に対し横断面平行に保持するように形成される一方、該配線保持部材の内側面及び該押え蓋部の内側面に、光引込線用の縦保持凹部が該光引込線を該被固定面に対し横断面垂直に保持するように形成され、且つ該配線保持部材の内側面及び該押え蓋部の内側面に、メタル屋外線用の横保持凹部が該メタル屋外線を該被固定面に対し横断面平行に保持するように形成される一方、該配線保持部材の内側面及び該押え蓋部の内側面に、メタル屋外線用の縦保持凹部が該メタル屋外線を該被固定面に対し横断面垂直に保持するように形成されたことを特徴とする縦横設置共用配線クリート。
【請求項２】
前記メタル屋外線用の横保持凹部は、大径光引込線を被固定面に対し横断面平行に保持可能に形成され、前記メタル屋外線用の縦保持凹部は、大径光引込線を被固定面に対し横断面垂直に保持可能に形成されていることを特徴とする請求項１記載の縦横設置共用配線クリート。
【請求項３】
前記光引込線用の横保持凹部内には前記光引込線を把持するための把持用リブが設けられ、前記メタル屋外線用の横保持凹部には前記メタル屋外線を把持するための把持用リブが設けられたことを特徴とする請求項１記載の縦横設置共用配線クリート。
【請求項４】
前記配線保持部材の内側面の光引込線用の縦保持凹部内には、前記光引込線を把持するための把持用リブが設けられ、前記配線保持部材の内側面のメタル屋外線用の縦保持凹部内には、前記メタル屋外線を把持するための把持用リブが設けられたことを特徴とする請求項１記載の縦横設置共用配線クリート。 
【考案の詳細な説明】
【技術分野】
【０００１】
本考案は、メタル屋外線、光引込線（光ファイバケーブル）を壁面などの被固定面に共に固定することが可能な共用の配線クリートに関し、特に光引込線、メタル屋外線を、被固定面に対し横断面平行とし或いは横断面垂直とする２種の態様で配線固定することができる縦横設置共用配線クリートに関する。
【背景技術】
【０００２】
住宅などに引き込まれる電話線のメタル屋外線や光引込線は、一般に、外壁面から保安器を設けた保安器取付台に配線され、そこから外壁面を通して室内に配線される。近年、多くの住宅において、光ファイバによる光通信が普及し、そこには、既設のメタル屋外線に加えて光引込線が保安器取付台に引き込み配線される場合が多くなっている。
【０００３】
このような保安器取付台を含む建物の外壁には、メタル屋外線と光引込線が共に配線され、それ程広くない取付台の近傍においてメタル屋外線と光引込線が保安器などとの間で配線されるため、メタル屋外線と光引込線は、狭い範囲で且つ曲げ可能な半径内で曲げられる一方、配線クリートによりその配線状態を固定している（下記特許文献１などを参照）。
【特許文献１】特開平１１−１７８１２５号公報
【考案の開示】
【考案が解決しようとする課題】
【０００４】
光引込線は、金属の支持線と光ファイバケーブルが平行に一体化された構造、つまりその横断面が横長または縦長形状となっている。また、メタル屋外線は支持線とケーブルが分離しているものの、略一体となって配線され、その横断面は横長または縦長形状となって配線される。このため、このようなメタル屋外線または光引込線を曲げて配線した場合、メタル屋外線または光引込線が捻れた状態となりやすく、捻れの生じたメタル屋外線または光引込線は、保安器取付台や外壁面上で、その横断面が縦長（取付面に対し凸状）となり、或いは横長（取付面に対し平坦）となったりする。
【０００５】
しかし、従来のこの種のメタル屋外線または光引込線の配線固定用に使用される配線クリートは、メタル屋外線、光引込線を取付面に対し平坦（平行）な状態で固定する構造であるため、捻れの生じたメタル屋外線または光引込線をさらに捻って取付面に対し平坦（平行）にし、その状態で配線クリートにより固定する必要があった。
【０００６】
このため、メタル屋外線や光引込線を外壁面や保安器取付台上に配線し、それらの必要箇所を配線クリートにより固定する作業は、非常に煩雑となり、しかも、配線クリートの配線態様に合わせて、メタル屋外線や光引込線を無理に捻るため、光引込線の場合には光ファイバに無理な力がかかり、光伝送損失の増大を招く虞があった。
【０００７】
本考案は、上述の課題を解決するものであり、メタル屋外線及び／又は光引込線を、被固定面に対し横断面垂直または横断面平行の２種の形態で固定することができる縦横設置共用配線クリートを提供することを目的とする。
【課題を解決するための手段】
【０００８】
上記目的を達成する本考案の請求項１の縦横設置共用配線クリートは、配線保持部材と、該配線保持部材に対しヒンジ部を介して開閉可能に一体成形された押え蓋部と、を備え、該配線保持部材と該押え蓋部の略中央に貫通して固定用の挿入孔が設けられ、該挿入孔に固定ねじ又は釘を挿入して若しくは両面粘着テープにより被固定面に固定する縦横設置共用配線クリートにおいて、該配線保持部材の内側面及び該押え蓋部の内側面に、光引込線用の横保持凹部が該光引込線を該被固定面に対し横断面平行に保持するように形成される一方、該配線保持部材の内側面及び該押え蓋部の内側面に、光引込線用の縦保持凹部が該光引込線を該被固定面に対し横断面垂直に保持するように形成され、且つ該配線保持部材の内側面及び該押え蓋部の内側面に、メタル屋外線用の横保持凹部が該メタル屋外線を該被固定面に対し横断面平行に保持するように形成される一方、該配線保持部材の内側面及び該押え蓋部の内側面に、メタル屋外線用の縦保持凹部が該メタル屋外線を該被固定面に対し横断面垂直に保持するように形成されたことを特徴とする。
【０００９】
この考案の配線クリートによれば、光引込線を被固定面に対し横断面平行に固定することができ、或いは光引込線を被固定面に対し横断面垂直に固定することができ、光引込線を保安器取付台上や外壁面上で曲げて配線する際に、光引込線が捻れ、被固定面に対しその横断面が平行又は垂直となった場合でも、無理に捻り返すことなく、そのまま配線固定することができる。このため、光ファイバには無理な力がかからず、光伝送損失の増大を防止することができる。
【００１０】
また、光引込線とメタル屋外線が同じ場所に配線される場合であっても、１つの配線クリートで、光引込線とメタル屋外線の両方を固定することができると共に、メタル屋外線においても、被固定面に対し横断面平行に或いは横断面垂直に固定することができ、メタル屋外線を保安器取付台上や外壁面などの被固定面に曲げて配線する際に、メタル屋外線が捻れ、被固定面に対しその横断面が平行又は垂直となった場合でも、無理に捻り返すことなくそのまま配線固定することができる。
【００１１】
請求項２の考案は、上記請求項１の縦横設置共用配線クリートにおいて、上記メタル屋外線用の横保持凹部は、大径光引込線を被固定面に対し横断面平行に保持可能に形成され、上記メタル屋外線用の縦保持凹部は、大径光引込線を被固定面に対し横断面垂直に保持可能に形成されていることを特徴とする。
【００１２】
この考案の配線クリートによれば、１芯乃至多芯光ファイバを持つ大径光引込線を保持して配線固定する際にも使用することができる。
【００１３】
請求項３の考案は、上記請求項１の縦横設置共用配線クリートにおいて、上記光引込線用の横保持凹部内には該光引込線を把持するための把持用リブが設けられ、上記メタル屋外線用の横保持凹部には該メタル屋外線を把持するための把持用リブが設けられたことを特徴とする。
【００１４】
この考案の配線クリートによれば、光引込線とメタル屋外線を充分な把持力をもって、被固定面に対し横断面平行に保持することができる。
【００１５】
請求項４の考案は、上記請求項１の縦横設置共用配線クリートにおいて、上記光引込線用の配線保持部材の内側面の縦保持凹部内には、該光引込線を把持するための把持用リブが設けられ、上記メタル屋外線用の配線保持部材の内側面の縦保持凹部内には、メタル屋外線を把持するための把持用リブが設けられたことを特徴とする。
【００１６】
この考案の配線クリートによれば、光引込線とメタル屋外線を充分な把持力をもって、被固定面に対し横断面垂直に保持することができる。
【考案の効果】
【００１７】
本考案の縦横設置共用配線クリートによれば、光引込線が捻れ、被固定面に対しその横断面が平行又は垂直となった場合、無理に捻り返すことなく、そのまま配線固定することができるので、光ファイバには無理な力がかからず、光伝送損失の増大を防止することができる。また、メタル屋外線が捻れ、被固定面に対しその横断面が平行又は垂直となった場合でも、無理に捻り返すことなくそのまま容易に配線固定することができる。
【考案を実施するための最良の形態】
【００１８】
以下、本考案の一実施形態を図面に基づいて説明する。図１は縦横設置共用配線クリートの開放状態の正面図を示し、図２はその左側面図を、図３はその平面図を、図４はその底面図を示している。この配線クリートは、１芯乃至８芯の光ファイバ線を有した比較的小径の光引込線４０（図１０ａ）、１芯乃至８芯の光ファイバ線を有した比較的大径の大径光引込線４１（図１０ｂ）、またはメタル屋外線４２（図１０ｃ）の３種類の引込線、屋外線のうち、２種の線を配線固定するもので、共用配線クリートとして構成される。
【００１９】
さらに、この配線クリートは、それらの光引込線４０、大径光引込線４１、またはメタル屋外線４２を、保安器取付台などの被固定面に対し横断面平行に或いは横断面垂直に、２種の形態で固定可能に構成される。このような配線クリートは、配線保持部材１と、配線保持部材１に対しヒンジ部４を介して開閉可能に一体成形された押え蓋部２と、を備え、耐候性のある例えば黒色のポリプロピレン、ポリエチレン等の合成樹脂により一体成形される。
【００２０】
図１〜図４に示すように、配線クリートは、概略的には、配線保持部材１の上面に形成した光引込線用の横保持凹部１１、縦保持凹部１２、メタル屋外線用の横保持凹部１３、縦保持凹部１４に、光引込線４０、メタル屋外線４２などを挿入し、配線保持部材１の上面に押え蓋部２を、ヒンジ部４を介して閉じるように被せ、押え蓋部２の自由端側に突設された係止爪２９を、配線保持部材１の端部に設けた係止受け部１９に係止させ、光引込線４０、メタル屋外線４２などをその間に把持する構造となっている。
【００２１】
配線保持部材１と押え蓋部２の略中央には、固定用の固定ねじや釘を挿入するための挿入孔８、９が貫通して設けられ、配線保持部材１と押え蓋部２を閉じて、光引込線４０、メタル屋外線４２などを把持した状態の配線クリートを、固定ねじや釘を用いて固定する構造である。押え蓋部２の挿入孔９には、固定ねじなどを挿入した際、係合する三角フランジが内側に突設されている。
【００２２】
これらの配線保持部材１と押え蓋部２の間に、上記光引込線４０、大径光引込線４１、或いはメタル屋外線４２を挟み込んで把持するように、配線クリートは形成され、配線保持部材１と押え蓋部２の内側面に、各々、光引込線用の横保持凹部１１，２１及び縦保持凹部１２，２２、メタル屋外線用の横保持凹部１３，２３及び縦保持凹部１４，２４が、前後方向に沿って形成されている。
【００２３】
図１、図３に示すように、配線保持部材１の上面（内側面）の左側に、光引込線用の横保持凹部１１が光引込線４０を被固定面に対し横断面平行に保持するように形成される一方、押え蓋部２の上面（内側面）の対応位置に、光引込線用の横保持凹部２１が光引込線４０を被固定面に対し横断面平行に保持するように形成される。
【００２４】
ここで、被固定面に対し横断面平行とは、光引込線４０、メタル屋外線４２の横断面が、図１０に示すように、縦長または横長形状であるところ、光引込線４０、メタル屋外線４２の横断面が被固定面に対し平行な状態を意味し被固定面に対し横断面垂直とは、光引込線４０、メタル屋外線４２の横断面が被固定面に対し垂直な状態を意味する。
【００２５】
さらに、配線保持部材１の内側面の左側に光引込線用の縦保持凹部１２が、光引込線４０を被固定面に対し横断面垂直に保持するように、上記横保持凹部１１と重なった形態で形成される一方、押え蓋部２の内側面の対応位置に、光引込線用の縦保持凹部２２が、光引込線４０を被固定面に対し横断面垂直に保持するように、上記横保持凹部２１と重なった形態で形成されている。これらの横保持凹部１１，２１及び縦保持凹部１２，２２は、図３などに示すように、配線保持部材１または押え蓋部２の内側面の前後方向に沿って連続し、各々が同一横断面をもって形成さている。
【００２６】
さらに、配線保持部材１の内側面の右側に、メタル屋外線用の横保持凹部１３が、メタル屋外線４２を被固定面に対し横断面平行に保持するように形成される一方、押え蓋部２の内側面の対応位置に、メタル屋外線用の横保持凹部２３がメタル屋外線４２を被固定面に対し横断面平行に保持するように形成されている。
【００２７】
さらに、配線保持部材１の内側面の右側に、メタル屋外線用の縦保持凹部１４が、メタル屋外線４２を被固定面に対し横断面垂直に保持するように、上記横保持凹部１３と重なった形態で、形成される一方、押え蓋部２の内側面の対応位置に、メタル屋外線用の縦保持凹部２４が、メタル屋外線４２を被固定面に対し横断面垂直に保持するように、上記横保持凹部２３と重なった形態で、形成されている。
【００２８】
配線保持部材１におけるメタル屋外線用の横保持凹部１３は、大径光引込線４１の保持用として共用され、大径光引込線４１を被固定面に対し横断面平行に保持可能に形成されている。また、同様に、配線保持部材１におけるメタル屋外線用の縦保持凹部１４は、大径光引込線４１の保持用として共用され、大径光引込線４１を被固定面に対し横断面垂直に保持可能に形成されている。
【００２９】
さらに、上記配線保持部材１の横保持凹部１１、１３、縦保持凹部１２、１４の内側、及び押え蓋部２の横保持凹部２１、２３、縦保持凹部２４の内側には、各々、光引込線４０、大径光引込線４１、及びメタル屋外線４２を把持するために、各々複数の把持用リブ１５，１６，１７，１８、２５，２６が間隔をおいて突設されている。
【００３０】
すなわち、図１１に示すように、光引込線４０は、断面円形の支持線４０ａと断面略長方形の光ファイバケーブル４０ｂとから構成されるところ、横断面平行姿勢の支持線４０ａを把持するために、配線保持部材１の横保持凹部１１には把持用リブ１５が突設され、押え蓋部２の横保持凹部２１内に把持用リブ２５が突設されている。また、メタル屋外線４２は、断面円形の支持線４２ａと断面円形で大径のメタル線４２ｂとから構成され、横断面水平姿勢の支持線４２ａを把持するために、配線保持部材１の横保持凹部１３には把持用リブ１７が突設され、押え蓋部２の横保持凹部２３内に把持用リブ２６が突設されている。
【００３１】
さらに、横断面垂直姿勢の光引込線４０の支持線４０ａを把持するために、配線保持部材１の縦保持凹部１２には把持用リブ１６が突設されている。また、横断面垂直姿勢のメタル屋外線４２の支持線４２ａを把持するために、配線保持部材１の縦保持凹部１４には把持用リブ１８が突設されている。これらの把持用リブ１５，１６，１７，１８、２５，２６は、各凹部内に横断面を略三角形として形成され、引込線や屋外線に対し必要な把持力を生じながら把持可能としている。
【００３２】
なお、上述のように、大径光引込線４１は、メタル屋外線４２と共用される横保持凹部１３、２３、及び縦保持凹部１４，２４に挟まれるように収容され保持されるため、大径光引込線４１の支持線４１ａも、上記メタル屋外線４２の支持線４２ａと同様に、配線保持部材１の縦保持凹部１４の把持用リブ１８により把持され、押え蓋部２の縦保持凹部２４により把持されるようになっている。
【００３３】
ところで、現在使用されている光引込線４０の支持線４０ａの外径は約２．８ｍｍ、大径光引込線４１の支持線４１ａ及びメタル屋外線４２の支持線４２ａの外径は約２．６ｍｍとなっているが、上記把持用リブ１５，１６，１７，１８、２５，２６は、これらの支持線４０ａ，４１ａ，４２ａを確実に把持するように設けられ、これにより、配線クリートは、これらの支持線４０ａ，４１ａ，４２ａを、配線保持部材１の横保持凹部１１、１３と縦保持凹部１２、１４の内側、及び押え蓋部２の横保持凹部２１、２３と縦保持凹部２２、２４の内側で、確実に把持する構造となっている。
【００３４】
次に、上記配線クリートの使用形態について説明する。例えば、１芯の光引込線４０とメタル屋外線４２を、共に横断面平行状態で配線固定する場合、図１１のように、光引込線４０を配線保持部材１の横保持凹部１１に挿入し、メタル屋外線４２を配線保持部材１の横保持凹部１３に挿入し、その上から押え蓋部２を被せ、係止爪２９を係止受け部１９に係止させる。
【００３５】
これにより、図１１に示すように、光引込線４０は配線保持部材１の横保持凹部１１と押え蓋部２の横保持凹部２１内で、その支持線４０ａが把持用リブ１５，２６により把持され、メタル屋外線４２が配線保持部材１の横保持凹部１３と押え蓋部２の横保持凹部２３内で、その支持線４２ａが把持用リブ１７，２５により把持され、充分な把持力で把持される。そして、この状態で、固定ねじまたは釘を挿入孔８，９に挿入し、固定ねじまたは釘により保安器取付台などの被固定面に配線クリートを固定する。
【００３６】
一方、保安器取付台などで光引込線４０を配線する際、線が捻れてその横断面が被固定面に対し垂直状態になった場合、図１２（ａ）に示すように、光引込線４０を横断面垂直状態で配線保持部材１の横保持凹部１１に挿入し、押え蓋部２を被せて固定する。これにより、図１２（ａ）に示すように、光引込線４０は配線保持部材１の縦保持凹部１２と押え蓋部２の縦保持凹部２２内で、その支持線４０ａが把持用リブ１６により把持され、充分な把持力で把持される。
【００３７】
また、メタル屋外線４２が捻れてその横断面が被固定面に対し垂直状態になった場合、図１２（ｂ）に示すように、メタル屋外線４２を横断面垂直状態で配線保持部材１の縦保持凹部１４に挿入し、押え蓋部２を被せて固定する。これにより、図１２（ｂ）に示すように、メタル屋外線４２は配線保持部材１の縦保持凹部１４と押え蓋部２の縦保持凹部２４内で、その支持線４２ａが把持用リブ１８により把持され、充分な把持力で把持される。
【００３８】
一方、光引込線４０と大径光引込線４１を共にその横断面平行状態で配線固定する場合、図１２（ｄ）に示すように、光引込線４０を配線保持部材１の横保持凹部１１に挿入し、大径光引込線４１を配線保持部材１の横保持凹部１３に挿入し、その上から押え蓋部２を被せ、係止爪２９を係止受け部１９に係止させる。
【００３９】
これにより、図１２（ｄ）に示すように、光引込線４０は配線保持部材１の横保持凹部１１と押え蓋部２の横保持凹部２１内で、その支持線４０ａが把持用リブ１５，２５により把持され、大径光引込線４１は、その支持線４１ａが把持用リブ１７，２６により把持され、充分な把持力で把持される。そして、この状態で、固定ねじまたは釘を挿入孔８，９に挿入し、固定ねじまたは釘により保安器取付台などの被固定面に配線クリートが固定される。
【００４０】
一方、保安器取付台などの被固定面に大径光引込線４１を配線する際、それが捻れてその横断面が被固定面に対し垂直状態になった場合、図１２（ｃ）に示すように、大径光引込線４１を横断面垂直状態で配線保持部材１の縦保持凹部１４に挿入し、押え蓋部２を被せて固定する。これにより、図１２（ｃ）に示すように、大径光引込線４１は配線保持部材１の縦保持凹部１４と押え蓋部２の縦保持凹部２４内で、その支持線４１ａが把持用リブ１８により把持され、充分な把持力で把持される。
【００４１】
このように、上記構成の配線クリートは、光引込線４０の他、大径光引込線４１またはメタル屋外線４２を共に把持して配線固定することができ、しかも、光引込線４０が配線時に横断面垂直状態となった場合でも、そのままの状態で光引込線４０を縦保持凹部１２に挿入して把持させることができる。また、大径光引込線４１またはメタル屋外線４２においても、配線時に横断面垂直状態となった場合でも、そのままの状態で、大径光引込線４１またはメタル屋外線４２を配線保持部材１の縦保持凹部１４に挿入して把持させることができる。
【００４２】
このため、光引込線４０、大径光引込線４１、メタル屋外線４２を保安器取付台などの被固定面に配線固定する際、引込線や屋外線に捻れが生じても、捻れ返すことなく、そのままの状態で、配線クリート内に挿入して、容易に配線固定することができ、配線作業の作業性を向上させることができる。また、光引込線４０、大径光引込線４１には、配線時に過大な捻り力が生じにくく、光ファイバにおける光伝導損失の増加を防止することができる。
【００４３】
なお、上記実施形態では、挿入孔８，９に固定ねじ又は釘を挿入して配線クリートを被固定面に固定したが、両面粘着テープを配線保持部材１の底面に付着させて被固定面に固定することもできる。
【図面の簡単な説明】
【００４４】
【図１】本考案の一実施形態を示す配線クリートの開放時の正面図である。
【図２】同配線クリートの左側面図である。
【図３】同配線クリートの平面図である。
【図４】同配線クリートの底面図である。
【図５】図３のV-V断面図である。
【図６】押え蓋部を閉じる状態の正面図である。
【図７】図３のVII-VII拡大断面図である。
【図８】図３のVIII-VIII拡大断面図である。
【図９】図３のIX-IX拡大断面図である。
【図１０】（ａ）は光引込線の断面図、（ｂ）は大径光引込線の断面図、（ｃ）はメタル屋外線の断面図である。
【図１１】使用状態の配線クリートを示し、光引込線とメタル屋外線を被固定面に対し横断面平行に保持する状態正面図である。
【図１２】（ａ）は光引込線を被固定面に対し横断面垂直に保持し、メタル屋外線を被固定面に対し横断面平行に保持する状態の正面図、（ｂ）は光引込線を被固定面に対し横断面垂直に保持し、メタル屋外線を被固定面に対し横断面垂直に保持する状態の正面図、（ｃ）は光引込線を被固定面に対し横断面平行に保持し、光引込線を被固定面に対し横断面垂直に保持する状態の正面図、（ｄ）は光引込線を被固定面に対し横断面平行に保持し、光引込線を被固定面に対し横断面平行に保持する状態の正面図である。
【符号の説明】
【００４５】
１      配線保持部材
２      押え蓋部
４      ヒンジ部
１１    横保持凹部
１２    縦保持凹部
１３    横保持凹部
１４    縦保持凹部
１５    把持用リブ
１６    把持用リブ
１７    把持用リブ
１８    把持用リブ
１９    係止受け部
２１    横保持凹部
２２    縦保持凹部
２３    横保持凹部
２４    縦保持凹部
２５    把持用リブ
２６    把持用リブ
２９    係止爪
４０    光引込線
４１    大径光引込線
４２    メタル屋外線
【図１】
0003147236.tif 000003
【図２】
0003147236.tif 000004
【図３】
0003147236.tif 000005
【図４】
0003147236.tif 000006
【図５】
0003147236.tif 000007
【図６】
0003147236.tif 000008
【図７】
0003147236.tif 000009
【図８】
0003147236.tif 000010
【図９】
0003147236.tif 000011
【図１０】
0003147236.tif 000012
【図１１】
0003147236.tif 000013
【図１２】
0003147236.tif 000014